(57)【特許請求の範囲】
【請求項１】
金属帯コイルの側面の不揃いを矯正するための側面不揃い矯正装置であって、アップエンドに設置された金属帯コイルの側面に荷重を付加する平滑盤と、予め金属帯コイルの内径内面を強制冷却する冷却手段とを備えており、前記冷却手段は、平滑盤に装着されて、金属帯コイルの内径内面に冷却水を噴射するノズルを備えていることを特徴とする金属帯コイルの側面不揃い矯正装置。
【発明の詳細な説明】
【技術分野】
【０００１】
本発明は、熱間圧延で製造された金属帯コイルの側面の不揃いを矯正するための金属帯コイルの側面不揃い矯正装置に関するものである。
【背景技術】
【０００２】
例えば製鉄所の熱延工場で製造されたコイル（鋼帯コイル）は、図５に示すように、コイル巻取り工程でのコイル１の先端の非定常部において、テレスコープ形状の巻きズレ（コイル側面の不揃い）９が生じることがある。この巻きズレ９はコイル１をアップエンド（軸方向が縦向き）に設置した際、コイル１のエッジ部（鋼帯幅端部）が折れ込み、品質不良の原因となる。
【０００３】
これに対して、コイル巻取り装置の後面に、平滑円盤にてコイル側面に荷重を付加して巻きズレを矯正する矯正装置があるが、矯正装置の受け側の強度が十分でないことから、矯正荷重を制約され、機能が十分に発揮できないという問題があった。
【０００４】
また、薄肉材などでは、この矯正作業において折れ込みを発生させることもあり、比較的小さい力で矯正効果を発揮するニーズがあった。
【０００５】
こういった背景から、近年の熱延工場では、巻取り後のコイルの搬送をダウンエンド（軸方向が横向き）でハンドリングして、この問題に対処しているケースもあるが、ハンドリングの際に折れ込みを誘発する可能性があるため、根本的な解決には至っていない。
【発明の概要】
【発明が解決しようとする課題】
【０００６】
この問題に対しては、特許文献１には、コイル尾端部の矯正方法として、コイルをダウンエンドに回転させながら矯正する方法が記載されているが、コイル先端（内巻き）側は矯正荷重が大きいことは変わらない。
【０００７】
また、特許文献２には、コイル先端を検出し、それを掴んだ後、内側に巻き締めながら修正する方法が提案されているが、コイル巾方向調整工程、先端検出工程、矯正工程、搬送工程と工程が複雑すぎ、サイクルタイムが多く要するため、巻きズレが大きすぎるものを選択的に実施するのであれば可能であるが、大量発生、連続発生の際には適用が難しいと推定できる。また、対象のコイルがダウンエンドであることを前提としており、コイルがアップエンドの際には適用は難しいし、設備費が大きくなることが推定される。
【０００８】
本発明は、上記のような事情に鑑みてなされたものであり、金属帯コイル（例えば、鋼帯コイル）の側面の不揃いを適切に矯正することができる金属帯コイルの側面不揃い矯正装置を提供することを目的とするものである。
【課題を解決するための手段】
【０００９】
本発明者らは、上記課題を解決するために、前述したような、平滑円盤にて金属帯コイルの側面に荷重を付加して金属帯コイルの巻きズレ（金属帯コイルの側面不揃い）を矯正することを前提にして、その際に問題となる矯正荷重（金属帯コイル側面に付加する荷重）を低減する方法について鋭意検討を行った。
【００１０】
その結果、本発明者らは、予め金属帯コイルの内径内面を強制冷却することを着想した。すなわち、通常、金属帯コイルの巻きズレは仕上圧延機からコイラ巻き付けまでのランナウト長さ分だけ非定常状態になることから金属帯コイル内径側で発生することが多く、この部分の矯正が最も困難である。このような金属帯コイルの巻きズレの矯正には、巻きズレが発生している個所の金属帯間の摩擦力に打ち勝つだけの荷重を付加すれば矯正は可能であるが、金属帯表面の平滑度や温度、また材質によってはスプリングバックが大きい場合は金属帯同士の密着度が大きくなり、矯正に要する荷重は大きくなる。これに対し、冷却水を金属帯コイルの内径内面に噴射するノズルを平滑円盤に装着して、予め金属帯コイルの内径内面を強制冷却すれば、高温（例えば、鋼帯コイルでは通常３００℃以上）である金属帯コイルの内径側が冷却され、熱収縮により金属帯間に隙間が生じ、密着度を緩和できるので、小さい荷重で矯正することが可能となる。
【００１１】
上記の着想に基づいて、本発明は以下の特徴を有している。
【００１２】
［１］金属帯コイルの側面の不揃いを矯正するための側面不揃い矯正装置であって、アップエンドに設置された金属帯コイルの側面に荷重を付加する平滑盤と、予め金属帯コイルの内径内面を強制冷却する冷却手段とを備えていることを特徴とする金属帯コイルの側面不揃い矯正装置。
【００１３】
［２］前記冷却手段は、平滑盤に装着されて、金属帯コイルの内径内面に冷却水を噴射するノズルを備えていることを特徴とする前記［１］に記載の金属帯コイルの側面不揃い矯正装置。
【発明の効果】
【００１４】
本発明においては、金属帯コイル（例えば、鋼帯コイル）の側面の不揃いを適切に矯正することができる。すなわち、平滑盤にて金属帯コイル側面に荷重を付加して金属帯コイルの巻きズレ（側面不揃い）を矯正するに際して、従来は設備能力起因で矯正できなかったものが、同等の力でより広範囲の金属帯コイルにまで矯正可能となる。また、荷重向上のための設備投資を抑制できるほか、矯正に耐えうる基礎などの増強を回避できるようになる。
【図面の簡単な説明】
【００１５】
【図１】本発明の一実施形態における鋼帯コイル側面不揃い矯正装置を示す立面図である。
【図２】本発明の一実施形態における冷却装置を示す立面図である。
【図３】本発明の一実施形態における冷却装置を示す平面図である。
【図４】本発明の一実施形態における動作手順を示す図である。
【図５】鋼帯コイルの巻きズレ（側面不揃い）を示す図である。
【発明を実施するための形態】
【００１６】
本発明の一実施形態を図面に基づいて説明する。
【００１７】
図１は本発明の一実施形態における鋼帯コイル側面不揃い矯正装置を示す立面図である。
【００１８】
図１に示すように、この実施形態における鋼帯コイル側面不揃い矯正装置１０は、鋼帯コイル１がアップエンドに設置される基盤１１と、基盤１１に立設された支柱１２と、支柱１２に支持された上部フレーム１３と、上部フレーム１３に装着された油圧シリンダ１４と、油圧シリンダ１４に連結部材１５を介して取り付けられた平滑円盤（下面が平滑になっている円盤）１６とを備えている。
【００１９】
これにより、この鋼帯コイル側面不揃い矯正装置１０は、アップエンドに設置された鋼帯コイル１の側面に対して、油圧シリンダ１４を駆動して平滑円盤１６によって荷重を付加することで、鋼帯コイル１の側面不揃いを矯正するようになっている。
【００２０】
その上で、この実施形態においては、鋼帯コイル１の内径内面２に冷却水を噴射するための冷却装置２０として、噴射ヘッダ２１と噴射ノズル２２と冷却水供給配管２３とが平滑円盤１６に装着されている。なお、噴射ヘッダ２１と噴射ノズル２２は、鋼帯コイル１の内径空間部３に収まるような大きさになっている。
【００２１】
その冷却装置２０の詳細は、図２に立面図、図３に平面図を示すように、平滑円盤１６の中心に円形の噴射ヘッダ２１が設置され、その噴射ヘッダ２１に噴射ノズル２２が放射状に配置されている。なお、図２、図３において、２４、２５は噴射ヘッダ２１を平滑円盤１６に装着するための補助部材である。
【００２２】
上記のように構成された鋼帯コイル側面不揃い矯正装置１０を用いて鋼帯コイル１の側面不揃い（巻きズレ）を矯正する際の動作手順を図４に示す。すなわち、下記の（Ｓ１）〜（Ｓ４）の動作手順によって行う。
【００２３】
（Ｓ１）まず、図４（ａ）に示すように、鋼帯コイル１を基盤１１上の所定の位置にアップエンドで設置する。そして、油圧シリンダ１４を駆動して、平滑円盤１６を下降させる。
【００２４】
（Ｓ２）図４（ｂ）に示すように、平滑円盤１６が鋼帯コイル１に接触したら、平滑円盤１６をその位置で停止させる。
【００２５】
（Ｓ３）次に、図４（ｃ）に示すように、鋼帯コイル１の内径内面２に向けて噴射ノズル２２から冷却水を噴射する。なお、図４（ｃ）では、説明の都合上、平滑円盤１６は省略している。
【００２６】
（Ｓ４）そして、図４（ｄ）に示すように、油圧シリンダ１４を再度駆動して、平滑円盤１６によって鋼帯コイル１の側面に荷重を付加することで側面不揃い９を押込んで、矯正終了となる。
【００２７】
このようにして、この実施形態においては、アップエンドに設置された鋼帯コイル１の側面に平滑円盤１６で荷重を付加することによって側面不揃い９を矯正するに際して、予め鋼帯コイル１の内径内面２を冷却装置２０（噴射ヘッダ２１、噴射ノズル２２）によって強制冷却するようにしているので、通常３００℃以上である鋼帯コイル１の内径側が冷却され、熱収縮により鋼帯間に隙間が生じ、密着度を緩和できることから、小さい荷重で矯正することが可能となる。
【００２８】
しかも、円形の噴射ヘッダ２１に噴射ノズル２２が放射状に配置しているので、鋼帯コイル１の内径内面２に満遍なく冷却水を噴射することができ、より効果的に矯正荷重の低減が可能となるばかりか、鋼帯コイル１の内径内面２以外に冷却水の飛散がないので、他の設備への影響も極小化することができる。
【００２９】
なお、上記の実施形態においては、平滑円盤を用いて鋼帯コイルの側面に荷重を付加しているが、本発明では平滑円盤に限られるものではなく、平滑多角形盤等の他の平滑盤であってもよい。
【符号の説明】
【００３０】
１  鋼帯コイル
２  鋼帯コイルの内径内面
３  鋼帯コイルの内径空間
９  鋼帯コイルの巻きズレ（側面不揃い）
１０  鋼帯コイル側面不揃い矯正装置
１１  基盤
１２  支柱
１３  上部フレーム
１４  油圧シリンダ
１５  連結部材
１６  平滑円盤
２０  冷却装置
２１  噴射ヘッダ
２２  噴射ノズル
２３  冷却水供給配管
２４  補助部材
２５  補助部材
【先行技術文献】
【特許文献】
【００３１】
【特許文献１】特開平１０−０９９９１５号公報
【特許文献２】特開平０６−０１５３５５号公報
【図１】
0005540677.tif 000002
【図２】
0005540677.tif 000003
【図３】
0005540677.tif 000004
【図４】
0005540677.tif 000005
【図５】
0005540677.tif 000006